(57)【要約】【課題】 流体制御器を組み立てていく段階で部品間に生じる遊びをなくし、精度のよい制御を可能とした流体制御器を提供する。【解決手段】  流体制御器1は、流体制御器本体2と、流体制御器本体2を上下両側から挟持する支持治具3とからなる。支持治具3は、流体制御器設置面に固定される載置板11と、載置板11に固定された１対の支柱12と、１対の支柱12上端部に固定されたアクチュエータキャップ13とからなる。【選択図】    図１
2010031954.tif 000002
【特許請求の範囲】
【請求項１】
流体通路を有し所定の載置面上に載置されるボディと、流体通路を開閉する弁体と、下端に弁体が固定されて上昇または下降することにより弁体を開または閉方向に移動させる弁棒と、ボディの上方に設けられたケーシングと、ケーシング内に配されて弁棒を上下移動させるアクチュエータとを備えている流体制御器において、
載置面上に立設された複数の支柱と、複数の支柱の上端部に配されてケーシングの頂壁を下方に押圧する押さえ部材とをさらに備えていることを特徴とする流体制御器。
【請求項２】
載置面、支柱上端面およびケーシングの頂壁上面に、上下方向のめねじ部がそれぞれ設けられるとともに、押さえ部材に、支柱上端面およびケーシングの頂壁上面のめねじ部に対応するおねじ挿通孔が設けられており、各支柱は、その下端部に設けられたおねじ部が載置面のめねじ部にねじ込まれることで、載置面に固定され、押さえ部材は、その各おねじ挿通孔に挿通されたおねじ部材が対応するめねじ部にねじ込まれることで、支柱およびケーシングに固定されていることを特徴とする請求項１の流体制御器。
【請求項３】
流体通路が設けられているボディと、流体通路を開閉する弁体と、下端に弁体が固定されて上昇または下降することにより弁体を開または閉方向に移動させる弁棒と、ボディの上方に設けられたケーシングと、ケーシング内に配されて弁棒を上下移動させるアクチュエータとを備えている流体制御器本体を支持する支持治具であって、
流体制御器本体の設置面に固定される載置板と、載置板上に立設される複数の支柱と、複数の支柱の上端部に配されて載置板とによって流体制御器本体を挟持するアクチュエータキャップとからなることを特徴とする流体制御器用支持治具。
【発明の詳細な説明】
【技術分野】
【０００１】
この発明は、流体制御器に関し、特に、流体通路の開度の調整を伴う流体制御器に関する。
【背景技術】
【０００２】
流体制御器として、流体通路を有し所定の載置面上に載置されるボディと、流体通路を開閉する弁体と、下端に弁体が固定されて上昇または下降することにより弁体を開または閉方向に移動させる弁棒と、ボディの上方に設けられたケーシングと、ケーシング内に配されて弁棒を上下移動させるアクチュエータとを備えているものはよく知られている（例えば特許文献１）。
【特許文献１】特開２００４−３２４８３３号公報
【発明の開示】
【発明が解決しようとする課題】
【０００３】
この種の流体制御器は、各構成部材をＯリングなどのシール部材を使用しながら順次組み立てていくことで製造されるが、この組立てに際し、微小な遊びが生じ、そのため、微小な開度の設定を必要とする流体制御器では、その遊びによる精度の低下が問題になることがある。
【０００４】
この発明の目的は、流体制御器を組み立てていく段階で部品間に生じる遊びをなくし、精度のよい制御を可能とした流体制御器を提供することにある。
【課題を解決するための手段】
【０００５】
この発明による流体制御器は、流体通路を有し所定の載置面上に載置されるボディと、流体通路を開閉する弁体と、下端に弁体が固定されて上昇または下降することにより弁体を開または閉方向に移動させる弁棒と、ボディの上方に設けられたケーシングと、ケーシング内に配されて弁棒を上下移動させるアクチュエータとを備えている流体制御器において、載置面上に立設された複数の支柱と、複数の支柱の上端部に配されてケーシングの頂壁を下方に押圧する押さえ部材とをさらに備えていることを特徴とするものである。
【０００６】
流体制御器本体としては、公知の種々の弁またはバルブなどを使用することができ、その形式に限定されることはない。アクチュエータとしては、流体圧式（流体圧シリンダ、流体圧のダイヤフラム機構、ベロフラム機構またはベローズ機構など）としてもよく、電磁式（ソレノイド、ステッピングモータなど）としてもよい。いずれの形式であっても、流体制御器本体を組み立てていく段階で、おねじ部材とめねじ部との間など部品間に軸方向のわずかな遊びが生じ、高精度な制御が必要となる流体制御器では、この遊びが問題となることがある。この発明の流体制御器によると、載置面と押さえ部材とによって流体制御器本体が上下方向から挟持されることにより、問題となる遊びをなくすことができる。
【０００７】
具体的には、例えば、載置面、支柱上端面およびケーシングの頂壁上面に、上下方向のめねじ部がそれぞれ設けられるとともに、押さえ部材に、支柱上端面およびケーシングの頂壁上面のめねじ部に対応するおねじ挿通孔が設けられており、各支柱は、その下端部に設けられたおねじ部が載置面のめねじ部にねじ込まれることで、載置面に固定され、押さえ部材は、その各おねじ挿通孔に挿通されたおねじ部材が対応するめねじ部にねじ込まれることで、支柱およびケーシングに固定されているものとされる。
【０００８】
このような流体制御器を得るには、流体制御器本体の設置面に固定される載置板と、載置板上に立設される複数の支柱と、複数の支柱の上端部に配されて載置板とによって流体制御器本体を挟持するアクチュエータキャップとからなる支持治具を使用すればよく、このような支持治具を用いることで、既設の流体制御器本体の遊びをなくすことができる。
【発明の効果】
【０００９】
この発明の流体制御器によると、載置面上に立設された複数の支柱と、複数の支柱の上端部に配されてケーシングを下方に押圧する押さえ部材とを備えているので、載置面と押さえ部材とによって流体制御器本体が上下方向から挟持されることにより、流体制御器本体を組み立てていく段階で部品間に生じた遊びがなくなり、精度のよい流体制御が可能となる。
【発明を実施するための最良の形態】
【００１０】
この発明の実施の形態を、以下図面を参照して説明する。この明細書において、上下は、図の上下をいうものとする。
【００１１】
図１に示すように、流体制御器(1)は、ボディ(21)、ケーシング(29)などを有する流体制御器本体(2)と、流体制御器本体(2)を上下両側から挟持する支持治具(3)とからなる。
【００１２】
支持治具(3)は、流体制御器(1)が設置される設置面に固定される載置板(11)と、載置板(11)に立設された１対の支柱(12)と、１対の支柱(12)上端部に固定されたアクチュエータキャップ（押さえ部材）(13)とからなる。
【００１３】
流体制御器本体(2)は、図２に示すように、コントロール弁と称されるもので、流体通路(21a)(21b)が設けられたボディ(21)と、流体通路(21a)(21b)を開閉する弁体(22)と、ボディ(21)上端にボルト(24)によって固定されたグランド(23)と、グランド(23)上端部にボンネットナット(26)によって結合されたボンネット(25)と、下端に弁体(22)が固定されており、上端がボンネット(25)上端よりも上方にあって上昇または下降することによって弁体(22)を開または閉方向に移動させる弁棒(27)と、弁棒(27)を所定方向（下向き）に付勢するベローズ（弾性部材）(28)と、ボンネット(25)上端に固定された円筒状ケーシング(29)と、ケーシング(29)内に配されて弁棒(27)を上下移動させるアクチュエータ(30)とを備えている。
【００１４】
ケーシング(29)は、底壁を形成する下部ケーシング(31)と、周壁(32a)および頂壁(32b)を形成する上部ケーシング(32)とからなる。
【００１５】
アクチュエータ(30)は、弁棒(27)上端部に固定されたピストン(33)と、ピストン(33)にベロフラム(34)を介して固定されたばね受け部材(35)と、ばね受け部材(35)を下方に付勢するコイルばね（付勢部材）(36)と、ピストン(33)下面と下部ケーシング(31)との間に圧縮空気を導入するための圧縮空気導入部(37)とを有しており、圧縮空気の操作圧力により弁棒(27)の上下位置すなわち弁体(22)による流体通路(21a)(21b)の開度を調整して、二次側圧力を調整する。
【００１６】
支持治具(3)の載置板(11)は、平面から見て方形の板状体の対向する角部が方形の切除部(11a)によって削り取られた形状とされており、削り取られていない方の角部(11b)には、めねじ部(11c)がそれぞれ設けられている。載置板(11)の中央部には、２つの座ぐり付きおねじ挿通孔(11d)が設けられており、各おねじ挿通孔(11d)に下からねじ込まれた六角孔付きボルト（おねじ部材）(14)によって、載置板(11)が流体制御器本体(2)のボディ(21)に固定されている。載置板(11)には、さらに２つめねじ部（図示略）が設けられており、このめねじ部に六角孔付きボルト（おねじ部材）をねじ合わせることによって、載置板(11)を流体制御器設置面に固定することができる。
【００１７】
各支柱(12)の下端部には、おねじ部(12a)が設けられており、上端面には、上下方向のめねじ部(12b)が設けられている。各支柱(12)は、そのおねじ部(12a)が載置板(11)のめねじ部(11c)にねじ込まれることにより、載置板(11)に固定されている。
【００１８】
上部ケーシング(32)の頂壁には、中央部に貫通孔(32c)が設けられており、上部ケーシング(32)の頂壁上面には、貫通孔(32c)の周縁に等間隔で３つのおねじ挿通孔(32d)が設けられている。
【００１９】
アクチュエータキャップ(13)は、方形の板状とされており、その下面には、ばね受け部材(35)に下端を受け止められたコイルばね(36)の上端を受けるばね受け凹所(13a)が形成されている。また、アクチュエータキャップ(13)の中央部には、貫通孔(13b)が設けられている。アクチュエータキャップ(13)には、さらに、支柱(12)の上端部のめねじ部(12b)にねじ合わされる六角孔付きボルト（おねじ部材）(15)を挿通するための座ぐり付きおねじ挿通孔(13c)が対向する角部にそれぞれ設けられているとともに、上部ケーシング(32)のめねじ部(32d)にねじ合わされる六角孔付きボルト（おねじ部材）(16)を挿通するための３つの座ぐり付きおねじ挿通孔(13d)が同心円上に設けられている。アクチュエータキャップ(13)は、その各おねじ挿通孔(13c)(13d)に挿通された六角孔付きボルト(15)(16)が対応するめねじ部(12b)(32d)にねじ込まれることで、支柱(12)およびケーシング(29)に固定されている。
【図面の簡単な説明】
【００２０】
【図１】この発明による流体制御器の１実施形態を示す斜視図である。
【図２】同垂直断面図である。
【符号の説明】
【００２１】
(1)       流体制御器
(2)       流体制御器本体
(3)       支持治具
(11)      載置板
(11c)     めねじ部
(12)      支柱
(12a)     おねじ部
(12b)     めねじ部
(13)      アクチュエータキャップ（押さえ部材）
(13c)(13d)おねじ挿通孔
(15)      六角孔付きボルト（おねじ部材）
(16)      六角孔付きボルト（おねじ部材）
(21)      ボディ
(21a)(21b)流体通路
(22)      弁体
(27)      弁棒
(29)      ケーシング
(30)      アクチュエータ
(32d)     めねじ部
【図１】
2010031954.tif 000003
【図２】
2010031954.tif 000004